(57)【要約】【課題】  有効成分の木材中への浸透性と、防腐防カビ効果および防蟻防虫効果に優れ、しかも臭気が低減された木材保存剤を提供すること。【解決手段】  アジピン酸ジイソノニルなどのアジピン酸エステルに、有機ヨード系、トリアゾール系などの木材防腐防カビ剤、および／または、ピレスロイド系、ネオニコチノイド系などの木材防蟻防虫剤と、必要に応じて界面活性剤と、を配合する。この木材保存剤は、アジピン酸エステルに、木材防腐防カビ剤および／または木材防蟻防虫剤を溶解してなる油剤、または、さらに界面活性剤と、水とを含む乳剤、などに製剤化することができる。【選択図】  なし【特許請求の範囲】
【請求項１】
アジピン酸エステルと、木材防腐防カビ剤および／または木材防蟻防虫剤と、を含むことを特徴とする、木材保存剤。
【請求項２】
木材防腐防カビ剤および／または木材防蟻防虫剤を、アジピン酸エステルに溶解してなることを特徴とする、請求項１に記載の木材保存剤。
【請求項３】
さらに、界面活性剤を含むことを特徴とする、請求項１または２に記載の木材保存剤。
【請求項４】
アジピン酸エステルが、アジピン酸ジイソノニルであることを特徴とする、請求項１〜３のいずれかに記載の木材保存剤。
【請求項５】
木材防腐防カビ剤が、有機ヨード系防腐防カビ剤および／またはトリアゾール系防腐防カビ剤であることを特徴とする、請求項１〜４のいずれかに記載の木材保存剤。
【請求項６】
木材防蟻防虫剤が、ピレスロイド系防蟻防虫剤および／またはネオニコチノイド系防蟻防虫剤であることを特徴とする、請求項１〜５のいずれかに記載の木材保存剤。
【請求項７】
木材防蟻防虫剤が、クロチアニジンであることを特徴とする、請求項６に記載の木材保存剤。
【発明の詳細な説明】
【技術分野】
【０００１】
本発明は、木材の防腐、防カビ、防蟻および／または防虫のために使用する木材保存剤に関する。
【背景技術】
【０００２】
従来より、一般工業用材料や土木工業用材料などに使用される木材は、木材保存剤で処理することによって、腐朽や食害などから保護されている。
【０００３】
このような処理に用いられる木材保存剤において、有効成分を溶解する溶剤として、木材に対する浸透性が良好な、揮発しにくく高沸点のもの、具体的には、蒸留範囲が２９０〜３０５℃のフェニルキシリルエタン（例えば、商品名「ハイゾール  ＳＡＳ−２９６」、新日本石油化学（株）製）などの高沸点芳香族系有機溶剤を用いることが提案されている（例えば、特許文献１参照）。
【特許文献１】特開平１０−７５０２号公報
【発明の開示】
【発明が解決しようとする課題】
【０００４】
しかし、フェニルキシリルエタンは、上記特許文献１で挙げられている高沸点芳香族系有機溶剤の中でも、木材に対する浸透性がとりわけ良好なものであるが、その一方で、処理時および処理後において、臭気を生じるという不具合がある。
【０００５】
さらに、近年、環境問題への関心の高まりに伴なって、芳香族系有機溶剤の使用量を低減することが望まれている。
【０００６】
そこで、本発明の目的は、有効成分の木材中への浸透性と、防腐防カビおよび防蟻防虫効果に優れ、しかも、臭気および環境負荷が低減された木材保存剤を提供することにある。
【課題を解決するための手段】
【０００７】
本発明者らは、上記目的を達成するために、木材の防腐防カビ効果および防蟻防虫効果に優れる有効成分と、それら有効成分との相溶性に優れ、かつ低臭性で、環境負荷が少なく、木材への浸透性が良好な有機溶媒と、の組み合わせについて、鋭意検討したところ、非芳香族系であるアジピン酸エステルを溶媒として用いれば、上記の課題を解決できるとの知見を見出し、さらに研究を進めた結果、本発明を完成するに至った。
【０００８】
すなわち、本発明は、
（１）  アジピン酸エステルと、木材防腐防カビ剤および／または木材防蟻防虫剤と、を含むことを特徴とする、木材保存剤、
（２）  木材防腐防カビ剤および／または木材防蟻防虫剤を、アジピン酸エステルに溶解してなることを特徴とする、前記（１）に記載の木材保存剤、
（３）  さらに、界面活性剤を含むことを特徴とする、前記（１）または（２）に記載の木材保存剤、
（４）  アジピン酸エステルが、アジピン酸ジイソノニルであることを特徴とする、前記（１）〜（３）のいずれかに記載の木材保存剤、
（５）  木材防腐防カビ剤が、有機ヨード系防腐防カビ剤および／またはトリアゾール系防腐防カビ剤であることを特徴とする、前記（１）〜（４）のいずれかに記載の木材保存剤、
（６）  木材防蟻防虫剤が、ピレスロイド系防蟻防虫剤および／またはネオニコチノイド系防蟻防虫剤であることを特徴とする、前記（１）〜（５）のいずれかに記載の木材保存剤、
（７）  木材防蟻防虫剤が、クロチアニジンであることを特徴とする、前記（６）に記載の木材保存剤
を提供するものである。
【発明の効果】
【０００９】
本発明の木材保存剤によれば、有効成分である木材防腐防カビ剤や木材防蟻防虫剤の木材への浸透を十分に確保でき、長期にわたって優れた防腐防カビ効果および／または防蟻防虫効果を発現させることができる。しかも、この木材保存剤によれば、処理時および処理後において、十分な低臭性を確保することができ、環境負荷を低減することができる。
【発明を実施するための最良の形態】
【００１０】
本発明の木材保存剤は、アジピン酸エステルと、木材防腐防カビ剤および／または木材防蟻防虫剤と、を含んでいる。
【００１１】
本発明において、アジピン酸エステルとしては、特に限定されるものではないが、例えば、アジピン酸の炭素数８〜１８のジアルキルエステルが挙げられる。
【００１２】
かかるアジピン酸ジアルキルエステルの具体例としては、アジピン酸ジオクチル、アジピン酸ジイソオクチル、アジピン酸ジノニル、アジピン酸ジイソノニル、アジピン酸ジデシル、アジピン酸ジイソデシル、アジピン酸ジドデシル、アジピン酸ジテトラデシル、アジピン酸ジヘキサデシル、アジピン酸ジオクタデシル、アジピン酸デシルイソオクチルなどが挙げられる。好ましくは、アジピン酸ジイソノニルが挙げられる。
【００１３】
本発明において、木材防腐防カビ剤としては、特に限定されるものではなく、例えば、有機ヨード系防腐防カビ剤、トリアゾール系防腐防カビ剤、スルファミド系防腐防カビ剤、ビス四級アンモニウム塩系防腐防カビ剤、四級アンモニウム塩系防腐防カビ剤、フタロニトリル系防腐防カビ剤などの、従来公知の有効成分が挙げられる。
【００１４】
有機ヨード系防腐防カビ剤としては、例えば、３−ヨード−２−プロピニルブチルカーバメート（慣用名：ＩＰＢＣ）、パラクロロフェニル−３−ヨードプロパギルホルマール（商品名：ＩＦ−１０００、長瀬産業（株）製）、３−ブロモ−２，３−ジヨード−２−プロペニルエチルカーボナート（商品名：サンプラス、（株）三共製）などが挙げられる。
【００１５】
トリアゾール系防腐防カビ剤としては、例えば、１−［２−（２，４−ジクロロフェニル）−４−プロピル−１、３−ジオキソラン−２−イルメチル］−１Ｈ−１，２，４−トリアゾール（慣用名：プロピコナゾール）、α−［２−（４−クロロフェニル）エチル］−α（１，１−ジメチルエチル）−１Ｈ−１，２，４−トリアゾール−１−エタノール（慣用名：テブコナゾール）、α−（４−クロロフェニル）−α−（１−シクロプロピル−エチル）−１Ｈ−１，２，４−トリアゾール−１−エタノール（慣用名：シプロコナゾール）、（１−〔｛２−（２，４−ジクロロフェニル）−１，３−ジオキソラン−２−イル｝メチル〕−イル−２，４−トリアゾール（慣用名：アザコナゾール）などが挙げられる。
【００１６】
スルファミド系防腐防カビ剤としては、例えば、Ｎ−ジクロロフルオロメチルチオ−Ｎ’，Ｎ’−ジメチル−Ｎ−フェニルスルファミド（商品名：プリベントールＡ４／Ｓ、バイエル製）、Ｎ−ジクロロフルオロメチルチオ−Ｎ’，Ｎ’−ジメチル−Ｎ−４−トリルスルファミド（商品名：プリベントールＡ５、バイエル製）などが挙げられる。
【００１７】
ビス四級アンモニウム塩系防腐防カビ剤としては、例えば、Ｎ，Ｎ’−ヘキサメチレンビス（４−カルバモイル−１−デシルピリジニウムブロマイド）（商品名：ダイマー３８、イヌイ社製）、Ｎ，Ｎ’−ヘキサメチレンビス（４−カルバモイル−１−デシルピリジニウムアセテート）（商品名：ダイマー３８Ａ、イヌイ社製）、４，４’−（テトラメチレンジカルボニルジアミノ）ビス（１−デシルピリジニウムブロマイド）（商品名：ダイマー１３６、イヌイ社製）、４，４’−（テトラメチレンジカルボニルジアミノ）ビス（１−デシルピリジニウムアセテート）（商品名：ダイマー１３６Ａ、イヌイ社製）などが挙げられる。
【００１８】
四級アンモニウム塩系防腐防カビ剤としては、例えば、ジデシルジメチルアンモニウムクロリド、コータミンＤ１０ＥＰＲ（花王製）などが挙げられる。
【００１９】
フタロニトリル系防腐防カビ剤としては、例えば、２，４，５，６−テトラクロロイソフタロニトリル（商品名：ノプコサイドＮ−９６、サンノプコ（株）製）などが挙げられる。
【００２０】
これらの木材防腐防カビ剤は、単独で使用してもよく、２種以上を併用してもよい。また、上記例示の木材防腐防カビ剤の中では、特に、有機ヨード系防腐防カビ剤、トリアゾール系防腐防カビ剤を用いることが好ましい。
【００２１】
本発明において、木材防蟻防虫剤としては、特に限定されるものではなく、例えば、ピレスロイド系防蟻防虫剤、ネオニコチノイド系防蟻防虫剤、有機塩素系防蟻防虫剤、有機リン系防蟻防虫剤、カーバメート系防蟻防虫剤、植物またはその処理物からなる防蟻防虫剤などの、従来公知の有効成分が挙げられる。
【００２２】
ピレスロイド系防蟻防虫剤としては、例えば、アレスリン、ペルメトリン、トラロメトリン、ビフェントリン、アクリナトリン、アルファシペルメトリン、シフルトリン、シフェノトリン、プラレトリン、エトフェンプロックス、シラフルオフェン、サイフルスリン、パーメスリン、トラロメスリン、フェンバレレート、Ｈｏｅ−４９８などが挙げられる。
【００２３】
ネオニコチノイド系木材防蟻防虫剤は、塩素原子置換含窒素複素環と、ニトロ置換イミノ基（Ｃ＝Ｎ−ＮＯ２）含有化合物とが、２価の炭化水素基を介して結合している化合物からなる防蟻防虫剤である。このネオニコチノイド系防蟻防虫剤としては、例えば、（Ｅ）−１−（２−クロロチアゾール−５−イルメチル）−３−メチル−２−ニトログアニジン（一般名：クロチアニジン）、Ｎ−アセチル−Ｎ−（２−クロロチアゾール−５−イル）メチル−Ｎ’−メチル−Ｎ”−ニトログアニジン、Ｎ−（２−クロロチアゾール−５−イル）メチル−Ｎ−メトキシカルボニル−Ｎ’−メチル−Ｎ”−ニトログアニジン、１−（６−クロロ−３−ピリジルメチル）−Ｎ−ニトロイミダゾリン−２−イリデンアミン（一般名：イミダクロプリド）、３−（２−クロロ−チアゾール−５−イルメチル）−５−［１，３，５］オキサジアジナン−４−イルインデン−Ｎ−ニトロアミン（一般名：チアメトキサム）、（Ｅ）−Ｎ−［（６−クロロ−３−ピリジル）メチル］−Ｎ’−シアノ−Ｎ−メチルアセタミジン（一般名：アセタミプリド）、（ＥＳ）−１−メチル−２−ニトロ−３−（テトラヒドロ−３−フリルメチル）グアニジン（一般名：ジノテフラン）などが挙げられる。上記例示のネオニコチノイド系化合物のなかでは、（Ｅ）−１−（２−クロロチアゾール−５−イルメチル）−３−メチル−２−ニトログアニジンを用いることが好ましい。
【００２４】
有機塩素系防蟻防虫剤としては、例えば、ケルセンなどが挙げられる。有機リン系の防蟻防虫剤としては、例えば、ホキシム、ピリダフェンチオン、フェニトロチオン、テトラクロルビンホス、ジクロフェンチオン、プロペタンホスなどが挙げられる。カーバメート系の防蟻防虫剤としては、例えば、カルバリル、フェノブカルブ、プロポクスルなどが挙げられる。
【００２５】
植物またはその処理物からなる防蟻防虫剤としては、例えば、ヒバ、サウスレア属、マグノリア属、アトラクティロデス属、レデボウリエア属、パエオニア属、プソラレア属、ミリスチカ属、クルクマ属、フムルス属、ソホラ属などの植物またはその処理物が挙げられる。
【００２６】
ヒバの処理物としては、例えば、ヒバの抽出物や滲出物などが挙げられる。より具体的には、例えば、ヒバチップ（ヒバおがくず）を水蒸気蒸留することにより、油相と水相に分離すれば、その油相をヒバ油として用いることができる。ヒバ油には、主成分としてのツヨプセンやセドロールなどのセスキテルペンやセスキテルペンアルコールなどの中性成分と、ヒノキチオール、β−ドラブリン、シトロネル酸、カルバクロールなどのトロポロン類、カルボン酸やフェノールなどの酸性成分とが含まれている。中性成分と酸性成分との含有比率は、通常、中性成分が９０％、酸性成分が１０％である。そして、ヒバ油にアルカリ水溶液を加えて抽出すれば、その抽出成分として酸性成分からなるヒバ酸性油を得ることができ、また、その残余成分として中性成分からなるヒバ中性油を得ることができる。
【００２７】
また、ヒバチップから水蒸気蒸留でヒバ油を抽出するときに、留出する水に含まれているヒバの酸性成分を吸着樹脂で吸着・脱着することにより、ヒバ樹脂油を得ることができる。また、これら、ヒバ油、ヒバ中性油、ヒバ酸性油、ヒバ樹脂油は、市販されているものを用いることもできる。
【００２８】
サウスレア（Saussurea）属としては、例えば、モッコウが挙げられ、その処理物としては、例えば、特許第３３７０６１０号公報に記載されるサウスレア属の抽出物や滲出物などが用いられる。より具体的には、例えば、モッコウを、アセトンやメタノールなどの抽出溶媒を用いて抽出した、モッコウ抽出エキスが用いられる。
【００２９】
マグノリア（Magnolia）属としては、例えば、コウボクが挙げられ、その処理物としては、例えば、特許第３３２６１４８号公報に記載されるマグノリア属の抽出物や滲出物などが用いられる。より具体的には、例えば、コウボクを、アセトンやメタノールなどの抽出溶媒を用いて抽出した、コウボク抽出エキスが用いられる。
【００３０】
アトラクティロデス（Atractylodes）属としては、例えば、ソウジュツが挙げられ、その処理物としては、例えば、特許第３３２６１４８号公報に記載されるアトラクティロデス属の抽出物や滲出物などが用いられる。より具体的には、例えば、ソウジュツを、アセトンやメタノールなどの抽出溶媒を用いて抽出した、ソウジュツ抽出エキスが用いられる。
【００３１】
レデボウリエア（Ledebouriella）属としては、例えば、ボウフウが挙げられ、その処理物としては、例えば、特許第３３２６１４８号公報に記載されるレデボウリエア属の抽出物や滲出物などが用いられる。より具体的には、例えば、ボウフウを、アセトンやメタノールなどの抽出溶媒を用いて抽出した、ボウフウ抽出エキスが用いられる。
【００３２】
パエオニア（Paeonia）属としては、例えば、ボタンピが挙げられ、その処理物としては、例えば、上記の特許第３３２６１４８号公報に準拠したパエオニア属の抽出物や滲出物などが用いられる。より具体的には、例えば、ボタンピを、アセトンやメタノールなどの抽出溶媒を用いて抽出した、ボタンピ抽出エキスが用いられる。
【００３３】
プソラレア（Psoralea）属としては、例えば、ハコシが挙げられ、その処理物としては、例えば、上記の特許第３３２６１４８号公報に準拠したプソラレア属の抽出物や滲出物などが用いられる。より具体的には、例えば、ハコシを、アセトンやメタノールなどの抽出溶媒を用いて抽出した、ハコシ抽出エキスが用いられる。
【００３４】
ミリスチカ（Myristica）属としては、例えば、ニクズクが挙げられ、その処理物としては、例えば、上記の特許第３３２６１４８号公報に準拠したミリスチカ属の抽出物や滲出物などが用いられる。より具体的には、例えば、ニクズクを、アセトンやメタノールなどの抽出溶媒を用いて抽出した、ニクズク抽出エキスが用いられる。
【００３５】
クルクマ（Curcuma）属としては、例えば、ウコンが挙げられ、その処理物としては、例えば、特許第３３７０６１０号公報に記載されるクルクマ属の抽出物や滲出物などが用いられる。より具体的には、例えば、ウコンを、アセトンやメタノールなどの抽出溶媒を用いて抽出した、ウコン抽出エキスが用いられる。
【００３６】
フムルス（Humulus）属としては、例えば、ホップが挙げられ、その処理物としては、例えば、特許第３３２６１４８号公報に記載されるフムルス属の抽出物や滲出物などが用いられる。より具体的には、例えば、ホップを、アセトンやメタノールなどの抽出溶媒を用いて抽出した、ホップ抽出エキスが用いられる。
【００３７】
ソホラ（Sophora）属としては、例えば、クジンが挙げられ、その処理物としては、例えば、特許第２９８９７２９号公報に記載されるソホラ属の抽出物や滲出物などが用いられる。より具体的には、例えば、クジンを、アセトンやメタノールなどの抽出溶媒を用いて抽出した、クジン抽出エキスが用いられる。
【００３８】
これらの木材防蟻防虫剤は、単独で使用してもよく、２種以上を併用してもよい。また、上記例示の木材防蟻防虫剤の中では、特に、ピレスロイド系防蟻防虫剤、ネオニコチノイド系防蟻防虫剤を用いることが好ましい。
【００３９】
これらの木材防蟻防虫剤は、単独で使用してもよく、２種以上を併用してもよい。また、上記例示の木材防蟻防虫剤の中では、特に、ピレスロイド系防蟻防虫剤、ネオニコチノイド系防蟻防虫剤を用いることが好ましい。
【００４０】
本発明の木材保存剤における各成分の比率は、アジピン酸エステル１０〜８０重量部、好ましくは、２０〜７０重量部、木材防腐防カビ剤０．０１〜５重量部、好ましくは、０．０５〜２重量部、木材防蟻防虫剤０．０１〜５重量部、好ましくは、０．０５〜２重量部が用いられる。
【００４１】
本発明の木材保存剤は、特に限定されることなく、種々の形態に製剤化し得るが、例えば、アジピン酸エステルに、木材防腐防カビ剤および／または木材防蟻防虫剤を溶解してなる油剤、例えば、アジピン酸エステルと、木材防腐防カビ剤および／または木材防蟻防虫剤と、界面活性剤と、水とを含む乳剤などに製剤化することができる。
【００４２】
油剤は、例えば、製剤（油剤）１００重量部に対して、アジピン酸エステル、木材防腐防カビ剤、木材防蟻防虫剤を、上記の割合で配合し、攪拌、混合することによって調製することができる。
【００４３】
また、油剤には、その効力に制限が生じない範囲において、アジピン酸エステルと併用して他の公知の溶媒を配合してもよい。そのような溶媒としては、例えば、ヘキサン、シクロヘキサン、オクタン、デカンなどの脂肪族炭化水素類、例えば、ベンゼン、トルエン、キシレンなどの芳香族炭化水素類、例えば、酢酸エチル、酢酸ブチル、エチレングリコールモノメチルエーテルアセテート、エチレングリコールモノエチルエーテルアセテート、エチレングリコールモノブチルエーテルアセテートなどのエステル類、例えば、アセトン、メチルエチルケトン、メチルイソブチルケトンなどのケトン類、例えば、１，４−ジオキサン、テトラヒドロフランなどのエーテル類、例えば、ヘキサノール、オクタノール、ベンジルアルコール、フルフリルアルコールなどのアルコール類、例えば、エチレングリコール、ジエチレングリコール、ポリエチレングリコール、プロピレングリコール、ジプロピレングリコール、トリプロピレングリコール、ポリプロピレングリコール、１，４−ブタンジオール、１，５−ペンタンジオール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、トリプロピレングリコールモノメチルエーテルなどのグリコール類、例えば、四塩化炭素、クロロホルム、ジクロロメタン、１，１，１−トリクロロエタン、クロロベンゼン、ジクロロベンゼンなどのハロゲン化炭化水素類、例えば、Ｎ−メチルピロリドン、Ｎ，Ｎ−ジメチルアニリン、ピリジン、アセトニトリル、ジメチルホルムアミドなどの含窒素化合物類、例えば、アルキルシクロパラフィン類などの石油系溶媒、なたね油などの油類などが挙げられる。これらの有機溶媒は、単独で使用してもよく、また２種以上併用してもよい。このような有機溶媒とアジピン酸エステルとの配合割合は、例えば、アジピン酸エステル１００重量部に対して、有機溶媒が２５〜９００重量部、好ましくは、４０〜５００重量部である。
【００４４】
調製された油剤は、常法に従い、木材に塗布、浸透させることによって使用することができる。この油剤の使用量は、一般に、約５０〜３００ｇ／ｍ２の範囲に設定される。
【００４５】
油剤として調製された木材保存剤は、木材への浸透性が高く、長期にわたって、防腐防カビ効果および／または防蟻防虫効果を発現させることができる。しかも、溶剤であるアジピン酸エステルの揮散が少なく、臭気が低減されることから、処理時および処理後において、十分な低臭性を確保することができる。さらに、環境負荷を低減することができる。
【００４６】
なお、油剤には、例えば、紫外線吸収剤、酸化防止剤、熱安定剤、防錆剤、ｐＨ調整剤、軟化剤、その他の樹脂などの公知の添加剤を適宜添加してもよい。
【００４７】
乳剤は、木材防腐防カビ剤および／または木材防蟻防虫剤、アジピン酸エステル、界面活性剤および水を配合することにより、調製することができる。
【００４８】
界面活性剤としては、例えば、アニオン界面活性剤、カチオン界面活性剤、ノニオン界面活性剤などの、従来公知の界面活性剤が挙げられる。
【００４９】
アニオン界面活性剤としては、例えば、金属石鹸類、硫酸アルキルナトリウムなどの硫酸エステル塩、アルキルベンゼンスルホン酸ナトリウムなどのアルキルベンゼンスルホン酸塩、アルキルナフタレンスルホン酸ナトリウム（例えば、商品名：ニューカルゲンＢＸ−Ｃ、竹本油脂（株）製）などのアルキルナフタレンスルホン酸塩、２−スルホコハク酸ジアルキルナトリウム（例えば、商品名：ネオコールＳＷ−Ｃ、第一工業製薬（株）製）などの２−スルホコハク酸ジアルキル塩、ポリカルボン酸型界面活性剤（例えば、商品名：トキサノンＧＲ−３０、三洋化成（株）製）、α−オレフィンスルホン酸塩、ポリオキシエチレンジスチレン化フェニルエーテルサルフェートアンモニウム塩（例えば、商品名：ディクスゾール６０Ａ、第一工業製薬（株）製）、リグニンスルホン酸ナトリウム、リグニンスルホン酸カリウムなどが挙げられる。
【００５０】
カチオン界面活性剤としては、主として四級アンモニウム塩、例えば、オクチルトリメチルアンモニウムクロライド、デシルトリメチルアンモニウムクロライド、ドデシルトリメチルアンモニウムクロライド、ヘキサデシルトリメチルアンモニウムクロライド、ステアリルトリメチルアンモニウムクロライドなどのアルキル（Ｃ８〜Ｃ１８）トリメチルアンモニウムハライド類など、オクタデシルジメチルアンモニウムクロライド、ジオクチルジメチルアンモニウムクロライド、ジデシルジメチルアンモニウムクロライド、オクチルドデシルジメチルアンモニウムクロライド、ジヘキサデシルジメチルアンモニウムクロライド、ジオクタデシルジメチルアンモニウムクロライドなどのジアルキル（Ｃ８〜Ｃ１８）ジメチルアンモニウムハライド類などが挙げられる。また、油脂に由来する混合アルキル基を有する混合物、例えば、アルキル（Ｃ８〜Ｃ１８）トリメチルアンモニウムクロライド、ジアルキル（Ｃ８〜Ｃ１８）ジメチルアンモニウムクロライド、アルキル（Ｃ８〜Ｃ１８）ジメチルベンジルアンモニウムクロライドなども挙げられる。
【００５１】
ノニオン界面活性剤としては、例えば、ポリオキシエチレンアルキルエーテル、ポリオキシアルキレンアルキルエーテル（例えば、商品名：ナロアクティーＮ１００、三洋化成（株））、ポリオキシエチレンアルキルアリールエーテル（例えば、商品名：ノイゲン・イーエー１４２（ＥＡ−１４２）、第一工業製薬（株）製）、ポリオキシエチレンフェニルエーテル、ポリオキシエチレンオクチルフェニルエーテル、ポリオキシアルキレンスチリルフェニルエーテル（例えば、商品名：ニューカルゲンＣＰ８０（ＨＬＢ１２）、ニューカルゲンＣＰ１２０（ＨＬＢ１３）、竹本油脂（株）製）、脂肪族多価アルコールエステル、脂肪族多価アルコールポリオキシエチレン、ショ糖脂肪酸エステル、酸化エチレンと酸化プロピレンとのブロック共重合体（例えば、商品名：ニューポールＰＥ−６４、三洋化成（株）製）などが挙げられる。
【００５２】
上記例示の界面活性剤は、単独で使用してもよく、２種以上を併用してもよい。また、上記例示の界面活性剤の中では、特に、ノニオン界面活性剤を用いることが好ましく、ポリオキシアルキレンアルキルエーテルを用いることがより好ましい。
【００５３】
乳剤は、例えば、製剤（乳剤）１００重量部に対して、アジピン酸エステルを１０〜８０重量部、好ましくは、２０〜７０重量部、木材防腐防カビ剤を０．０１〜５重量部、好ましくは、０．０５〜２重量部、木材防蟻防虫剤を０．０１〜５重量部、好ましくは、０．０５〜２重量部、界面活性剤を用いる場合には、２．５〜３０重量部、好ましくは、３〜２０重量部、さらに水を加えて１００重量部になるように配合し、攪拌、混合することによって調製することができる。なお、上記各成分のうち、水は、あらかじめ配合しておいてもよいが、木材へ処理する直前に配合してもよく、さらには、予め一部を配合しておき、木材へ処理する直前に残部を配合してもよい。
【００５４】
また、乳剤には、その効力に制限が生じない範囲において、アジピン酸エステルと併用して他の公知の溶媒を配合してもよい。そのような溶媒としては、前述の油剤の調製において使用する有機溶媒と同種のものが用いられる。このような有機溶媒とアジピン酸エステルとの配合割合は、例えば、アジピン酸エステル１００重量部に対して、有機溶媒が２５〜９００重量部、好ましくは、４０〜５００重量部である。
【００５５】
調製された乳剤は、常法に従い、木材に塗布、浸透させることによって使用することができる。この乳剤の使用量は、一般に、約５０〜３００ｇ／ｍ２の範囲に設定される。
【００５６】
乳剤として調製された木材保存剤は、木材への浸透性が高く、長期にわたって、防腐防カビ効果および／または防蟻防虫効果を発現させることができる。しかも、溶剤であるアジピン酸エステルの揮散が少なく、臭気が低減されることから、処理時および処理後において、十分な低臭性を確保することができる。さらに、環境負荷を低減することができる。
【００５７】
なお、乳剤には、例えば、紫外線吸収剤、酸化防止剤、熱安定剤、防錆剤、ｐＨ調整剤、軟化剤、その他の樹脂などの公知の添加剤を適宜配合してもよい。
【実施例】
【００５８】
以下に、実施例および比較例を挙げて、本発明をより具体的に説明するが、本発明は、何ら実施例などに限定されるものではない。
【００５９】
木材保存剤（油剤）の調製
実施例１
アジピン酸エステルとして、アジピン酸ジイソノニル５７．８重量部と、ジエチレングリコールモノメチルエーテル（メチルジグリコール）２０重量部と、アルキルシクロパラフィン（商品名「ナフテゾール２４０」、新日本石油化学（株）製）２０重量部とに、テブコナゾール（木材防腐防カビ剤）１重量部と、プロピコナゾール（木材防腐防カビ剤）１重量部と、クロチアニジン（木材防蟻防虫剤）０．２重量部とを投入して、均一に溶解させて、油剤を得た。
【００６０】
比較例１
アジピン酸ジイソノニルに代えて、ジフェニルアルカン類（商品名「日石ハイゾール  ＳＡＳ−２９６」、新日本石油化学（株）製）５７．８重量部を用いた以外は、実施例１と同様にして、油剤を得た。この「ＳＡＳ−２９６」は、１，１−フェニルキシリルエタンを主成分とする沸点２９６℃の高沸点芳香族溶剤である。
【００６１】
比較例２
アジピン酸ジイソノニルに代えて、３−メチル−３−メトキシブチルアセテート（商品名「ソルフィットＡＣ」、クラレ（株）製）５７．８重量部を用いた以外は、実施例１と同様にして油剤を得た。
【００６２】
比較例３
アジピン酸ジイソノニルに代えて、ラウリン酸ブチル５７．８重量部を用いた以外は、実施例１と同様に調製を試みた。しかしながら、木材防腐防カビ剤および木材防蟻防虫剤を溶解させることができず、均一な油剤を得ることができなかった。
【００６３】
比較例４
アジピン酸ジイソノニルを配合せず、かつ、ジエチレングリコールモノメチルエーテルの配合量を７７．８重量部とした以外は、実施例１と同様にして油剤を得た。
【００６４】
比較例５
アジピン酸エステルを配合せず、かつ、「ナフテゾール２４０」の配合量を７７．８重量部とした以外は、実施例１と同様に調製を試みた。しかしながら、木材防腐防カビ剤および木材防蟻防虫剤を溶解させることができず、均一な油剤を得ることができなかった。
【００６５】
油剤の特性評価
実施例１、比較例１、２および４で得られた油剤を用いて、下記の試験を実施した。試験には、木材として、ベイツガ（柾目、年輪３〜６個／ｃｍ、比重０．４０〜０．４２ｇ／ｃｍ３、年輪角度約４５°、含水率８〜１０％）を使用した。
【００６６】
（１）臭気試験
油剤をそのままで使用し、上記木材に、約２００ｇ／ｍ２の割合で塗布した後、これをデシケータに収容して、４０℃の環境下にて１日保管した。保管後、デシケータ内の空気をテトラバッグの中に捕集し、これを臭気試験サンプルとして、５人のパネラーによる臭気官能試験を実施し、臭気の有無を判定した。結果を表１に示す。
【００６７】
（２）浸透性試験
油剤をそのままで使用し、上記木材に、約２００ｇ／ｍ２の割合で塗布した後、これを２５℃、６５ＲＨ％の雰囲気下に放置して乾燥させた。１週間放置した後、ミクロトームを用いて、木材の表面から１ｍｍ毎の深さで薄片を順次切り出して、薄片から防腐防カビ剤や防蟻防虫剤を抽出して、定量分析した。分析の結果、防腐防カビ剤や防蟻防虫剤のそれぞれについて、上記薄片から０．２ｋｇ／ｍ３以上の割合で抽出された場合には、これらの有効成分が浸透していると判断した。また、有効成分が浸透していると判断された薄片のうち、最も深い位置から切り出された試料についての深さの値を比較することで、浸透性の優劣を評価した。結果を表１に示す。
【００６８】
（３）防腐効力試験
社団法人日本木材保存協会が定める「表面処理用木材防腐剤の室内防腐効力試験方法および性能基準（ＪＷＰＳ−ＦＷ−Ｓ．１）」の規定に準じて、上記木材保存剤の防腐効力試験を実施した。試験の実施にあたって、木材保存剤はそのままで使用し、耐候操作は溶脱と揮散とを繰り返す方法を採用した。防腐効力の評価は、質量減少率が３％未満の場合を◎、３％以上５％未満の場合を○、５％以上１０％未満の場合を△、１０％以上の場合を×とした。結果を表１に示す。
【００６９】
（４）防蟻効力試験
社団法人日本木材保存協会が定める「表面処理用木材防蟻剤の室内防蟻効力試験方法および性能基準（ＪＷＰＳ−ＴＷ−Ｓ．１）」の規定に準じて、上記木材保存剤の防蟻効力試験を実施した。耐候操作の方法、および防蟻効力の評価基準（質量減少率）は、上記（３）の防腐効力試験と同様とした。結果を表１に示す。
【００７０】
【表１】
2005263686.tif 000002
【００７１】
表１より明らかなように、木材防腐防カビ剤や木材防蟻防虫剤を溶解させる溶媒としてアジピン酸ジイソノニルを用いることによって、臭気の発生を防止することができ、しかも、有効成分の木材中への含浸の程度を低下させることなく、防腐防カビ効果および防蟻防虫効果を得ることができた。
【００７２】
木材保存剤（乳化用油剤）の調製
実施例２
アジピン酸ジイソノニル３６．８重量部と、ジエチレングリコールモノメチルエーテル３５重量部と、なたね油１０重量部とに、ポリオキシアルキレンアルキルエーテル（ノニオン界面活性剤、商品名「ナロアクティーＮ１００」、三洋化成（株））１６重量部と、ＩＰＢＣ（木材防腐防カビ剤）１重量部と、プロピコナゾール（木材防腐防カビ剤）１重量部と、クロチアニジン（木材防蟻防虫剤）０．２重量部とを投入して、均一に溶解させることにより、乳化用油剤を得た。
【００７３】
比較例６
アジピン酸ジイソノニルに代えて、「ＳＡＳ−２９６」３６．８重量部を用いた以外は、実施例２と同様にして乳化用油剤を得た。
【００７４】
比較例７
アジピン酸ジイソノニルに代えて、「ソルフィットＡＣ」３６．８重量部を用いた以外は、実施例２と同様にして乳化用油剤を得た。
【００７５】
比較例８
アジピン酸ジイソノニルに代えて、ラウリン酸ブチル３６．８重量部を用いた以外は、実施例２と同様に調製を試みた。しかしながら、木材防腐防カビ剤および木材防蟻防虫剤を溶解させることができず、均一な乳化用油剤を得ることができなかった。
【００７６】
比較例９
アジピン酸ジイソノニルを配合せず、かつ、ジエチレングリコールモノメチルエーテルの配合量を７１．８重量部とした以外は、実施例２と同様にして乳化用油剤を得た。
【００７７】
比較例１０
アジピン酸ジイソノニルを配合せず、かつ、なたね油の配合量を４６．８重量部とした以外は、実施例２と同様に調製を試みた。しかしながら、木材防腐防カビ剤および木材防蟻防虫剤を溶解させることができず、均一な乳化用油剤を得ることができなかった。
【００７８】
乳剤の特性評価
上記実施例２、比較例６、７および９で得られた乳化用油剤を、それぞれ水で３倍に希釈して、乳剤を調製し、上記した（１）臭気試験、（２）浸透性試験、（３）防腐効力試験、（４）防蟻効力試験の各試験を実施した。試験には、油剤の特性評価と同じ木材（ベイツガ）を使用した。結果を表２に示す。
【００７９】
【表２】
2005263686.tif 000003
【００８０】
表２より明らかなように、木材防腐防カビ剤や木材防蟻防虫剤を溶解させる溶媒としてアジピン酸ジイソノニルを使用し、かつ、界面活性剤を配合することによって、乳剤として調製とした場合であっても、臭気の発生を防止することができ、しかも、有効成分の木材中への含浸の程度を低下させることなく、優れた防腐防カビ効果および防蟻防虫効果を得ることができた。